(57)【要約】      （修正有）【課題】開封が容易であって、かつ、開封後でも、再封して吊下げることができ、また、用いる用紙が少なくてすむ吊下げ用紙箱を提供する。【解決手段】正面板１と、該正面板の上端に接続する上面板２と、該上面板の先端に接続する差込片３と、前記正面板に対向する背面板６と、該背面板と前記正面板の間に設けられた左側面板４と右側面板５と、を少なくとも有する吊下げ用紙箱１００であって、前記背面板の上部には吊下げ孔９が設けられ、前記差込片を前記背面板に沿って差込み、前記上面板により前記吊下げ用紙箱の上面を閉じたときに、前記吊下げ孔が、前記差込片上端の位置の上方から下方にかけて設けられていることを特徴とする。【選択図】図１
2012020741.tif 000002
【特許請求の範囲】
【請求項１】
正面板と、該正面板の上端に接続する上面板と、該上面板の先端に接続する差込片と、前記正面板に対向する背面板と、該背面板と前記正面板の間に設けられた左側面板と右側面板と、を少なくとも有する吊下げ用紙箱であって、
前記背面板の上部には吊下げ孔が設けられ、前記差込片を前記背面板に沿って差込み、前記上面板により前記吊下げ用紙箱の上面を閉じたときに、前記吊下げ孔が、前記差込片上端の位置の上方から下方にかけて設けられていることを特徴とする吊下げ用紙箱。
【請求項２】
前記吊下げ孔の上部は開孔していて、前記吊下げ孔の下部に切取可能な切取片が設けられていることを特徴とする請求項１に記載の吊下げ用紙箱。
【請求項３】
前記差込片に、前記上面板側から始まり、前記上面板側へ戻る、切れ目線により囲まれた切れ目片を、前記吊下げ孔と重なり合うように設け、
前記上面板に、前記切れ目線の両端部から、前記正面板に向かう上面切断可能線を設けたことを特徴とする請求項１または２に記載の吊下げ用紙箱。
【請求項４】
前記差込片に、前記上面板側から始まり、前記上面板側へ戻る、切れ目線により囲まれた切れ目片を、前記吊下げ孔と重なり合うように設け、
前記上面板に、前記切れ目線の両端部から、前記正面板へ向かう上面切断可能線を設け、前記正面板に、前記上面切断可能線の先端から下方へ向かう、正面切断可能線を設けたことを特徴とする請求項１または２に記載の吊下げ用紙箱。
【請求項５】
前記上面板と前記正面板と前記左側面板との接点から下方に向け、また、前記上面板と前記正面板と前記右側面板との接点から下方に向け、それぞれ正面切断可能線を設けたことを特徴とする請求項１または２に記載の吊下げ用紙箱。
【請求項６】
前記背面板の上端縁に折罫を介して補強板を設け、前記折罫で折り返して、前記補強板を前記背面板に重ね合わせたことを特徴とする、請求項１乃至５いずれか1項に記載の吊下げ用紙箱。
【発明の詳細な説明】
【技術分野】
【０００１】
本発明は、吊下げ用紙箱に関するものである。
【背景技術】
【０００２】
従来から、菓子食品類や薬品類、玩具類、日用品などを幅広く収容して店頭でフック等に吊下げて展示、販売する、吊下げ用紙箱が広く用いられている。
【０００３】
吊下げ用紙箱は、商品の収納部分より飛び出した吊下げ板に、吊下げ孔を設けた構造になっており、吊下げ板が、紙箱を形成するブランクと一体として設けられているものや、別体の吊下げ板を接着剤などで、取り付けたものがある。
【０００４】
そして、収納物の取り出しと再収納が容易な吊下げ用紙箱４００として、例えば、図１６（Ａ）のような、上面板２で収納部上部を覆い、さらに、その上面板２を正面板１から延設された上面連接板２６で覆うようにし、そして、上面板２を覆った上面連接板２６から折罫によって上方へ屈曲し、さらに折り返して下端で背面板６に接着された吊下げ板２７を延設した吊下げ用紙箱があった（特許文献１）。
【０００５】
この吊下げ用紙箱４００を開封して収納物を取り出すときは、図１６（Ｂ）のように、吊下げ板２７およびこの吊下げ板２７に接続している上面連接板２６を切り取り、上面板２を露出させて開き、収納物を取り出す。再収納のときは、図１６（Ｃ）のように、上面板２とこの上面板２から延設された差込片３を収納部側に差込み再封する。
【０００６】
公知文献を以下に示す。
【先行技術文献】
【特許文献】
【０００７】
【特許文献１】特開２００５−４１５３５号公報
【発明の概要】
【発明が解決しようとする課題】
【０００８】
前述の吊下げ用紙箱４００は、再収納が容易ではあるが、収納物を取り出すとき、吊下げ板２７を切り取り除去するので、再封後は吊下げて保管することはできない。また、上面連接板２６で上面板２を覆うようにしているので、吊下げ用紙箱に用いる用紙の面積が広く必要であるといった問題がある。
【０００９】
本発明は、開封が容易であって、かつ、開封後でも、再封して吊下げることができ、また、用いる用紙が少なくてすむ吊下げ用紙箱を提供することを課題とする。
【課題を解決するための手段】
【００１０】
本発明は係る課題に鑑みなされたものであり、請求項１の発明は、正面板と、該正面板の上端に接続する上面板と、該上面板の先端に接続する差込片と、前記正面板に対向する背面板と、該背面板と前記正面板の間に設けられた左側面板と右側面板と、を少なくとも有する吊下げ用紙箱であって、
前記背面板の上部には吊下げ孔が設けられ、前記差込片を前記背面板に沿って差込み、前記上面板により前記吊下げ用紙箱の上面を閉じたときに、前記吊下げ孔が、前記差込片上端の位置の上方から下方にかけて設けられていることを特徴とする吊下げ用紙箱である。
【００１１】
本発明の吊下げ用紙箱は、以上のような構成であって、背面板の上部には吊下げ孔が設けられ、上面板の先端に接続する差込片を背面板に沿って差込み、上面板により吊下げ用紙箱を閉じたときに、吊下げ孔が、背面板に沿って差込んだ差込片上端の位置の上方から下方にかけて設けられているので、背面板側から、吊下げ孔を通し、指などで、差込片を正面板側に押出すことができ上面板が開けやすく、容易に開封することができる。
【００１２】
また、差込片を背面板に沿って差込むことによって、再封ができ、そのまま吊り下げることもできる。そして、用いる用紙が少なくて済み、コスト的にも有利である。
【００１３】
本発明の請求項２の発明は、前記吊下げ孔の上部は開孔していて、前記吊下げ孔の下部に切取可能な切取片が設けられていることを特徴とする請求項１に記載の吊下げ用紙箱である。
【００１４】
本発明はさらに、前記吊下げ孔の上部は開孔していて、前記吊下げ孔の下部に切取可能な切取片が設けられているので、切取片を背面板側から、指などで、正面板側に押すことによって切取片を切取り、吊下げ孔を通し差込片を正面板側に押出すことができ、上面板が開けやすく、容易に開封することができる。
【００１５】
本発明の請求項３の発明は、前記差込片に、前記上面板側から始まり、前記上面板側へ戻る、切れ目線により囲まれた切れ目片を、前記吊下げ孔と重なり合うように設け、
前記上面板に、前記切れ目線の両端部から、前記正面板に向かう上面切断可能線を設けたことを特徴とする請求項１または２に記載の吊下げ用紙箱である。
【００１６】
本発明はさらに、差込片に、上面板側から始まり、上面板側へ戻る、切れ目線により囲まれた切れ目片を、吊下げ孔と重なり合うように設け、上面板に、切れ目線の両端部から、正面板に向かう上面切断可能線を設けたので、背面板側から、吊下げ孔を通し、指などで、差込片の切れ目片を正面板側に押出し、上面板に設けた上面切断可能線を切断して、開けることができ、容易に開封することができる。
【００１７】
本発明の請求項４の発明は、前記差込片に、前記上面板側から始まり、前記上面板側へ戻る、切れ目線により囲まれた切れ目片を、前記吊下げ孔と重なり合うように設け、
前記上面板に、前記切れ目線の両端部から、前記正面板へ向かう上面切断可能線を設け、前記正面板に、前記上面切断可能線の先端から下方へ向かう、正面切断可能線を設けたことを特徴とする請求項１または２に記載の吊下げ用紙箱である。
【００１８】
本発明はさらに、差込片に、上面板側から始まり、上面板側へ戻る、切れ目線により囲まれた切れ目片を、吊下げ孔と重なり合うように設け、前記上面板に、前記切れ目線の両端部から、前記正面板へ向かう上面切断可能線を設け、前記正面板に、前記上面切断可能線の先端から下方へ向かう、正面切断可能線を設けたことから、背面板側から、吊下げ孔を通し、指などで、差込片の切れ目片を正面板側に押出し、上面板に設けた上面切断可能線を切断して、続いて、正面板に設けた正面切断可能線を切断することによって、正面板に開口部が開けられ、容易に広く開封することができる。
【００１９】
本発明の請求項５の発明は、前記上面板と前記正面板と前記左側面板との接点から下方に向け、また、前記上面板と前記正面板と前記右側面板との接点から下方に向け、それぞれ正面切断可能線を設けたことを特徴とする請求項１または２に記載の吊下げ用紙箱である。
【００２０】
本発明は、上面板と正面板と左側面板との接点から下方に向け、また、上面板と正面板と右側面板との接点から下方に向け、それぞれ正面切断可能線を設けたので、差込片を正
面板側に押して、上面板を開き、さらに正面切断可能線を切断することによって、正面板に開口部が開けられ、容易に広く開封することができる。
【００２１】
本発明の請求項６の発明は、前記背面板の上端縁に折罫を介して補強板を設け、前記折罫で折り返して、前記補強板を前記背面板に重ね合わせたことを特徴とする、請求項１乃至５いずれか1項に記載の吊下げ用紙箱である。
【００２２】
本発明はさらに、背面板の上端縁に折罫を介して補強板を設け、折罫で折り返して、補強板を前記背面板に重ね合わせてあるので、吊下げ用紙箱に重いものを収納して吊り下げても、吊下げ孔から破れることが無い。
【発明の効果】
【００２３】
本発明の吊下げ用紙箱は、開封が容易であって、かつ、開封後でも、再封して吊下げることのでき、また、用いる用紙が少なくて済む。
【図面の簡単な説明】
【００２４】
【図１】本発明の吊下げ用紙箱の一例の展開図である。
【図２】本発明の吊下げ用紙箱の一例の斜視図である。
【図３】本発明の吊下げ用紙箱の一例の正面図である。
【図４】本発明の吊下げ用紙箱の一例の背面図である。
【図５】本発明の吊下げ用紙箱の他の例の展開図である。
【図６】本発明の吊下げ用紙箱の他の例の斜視図である。
【図７】本発明の吊下げ用紙箱の他の例の正面図である。
【図８】本発明の吊下げ用紙箱の他の例の背面図である。
【図９】本発明の吊下げ用紙箱のさらに他の例の展開図である。
【図１０】本発明の吊下げ用紙箱のさらに他の例の斜視図である。
【図１１】本発明の吊下げ用紙箱のさらに他の例の正面図である。
【図１２】本発明の吊下げ用紙箱のさらに他の例の背面図である。
【図１３】（Ａ）従来の吊下げ用紙箱の一例の封止された状態を説明する側面の断面図である。（Ｂ）従来の吊下げ用紙箱の一例の吊下げ板を切り取り開封した状態を説明する側面の断面図である。（Ｃ）従来の吊下げ用紙箱の一例の再封した状態を説明する側面の断面図である。
【発明を実施するための形態】
【００２５】
以下本発明を実施するための形態につき説明する。
本例の吊下げ用紙箱は、板紙、厚紙などの紙を打ち抜き、折罫を設けたブランクを、折罫より折り曲げ、必要部分を接着して形成する。尚、折罫は、押罫または破線状のカット線で設けている。
【００２６】
使用する紙としては、バージン紙、カード紙、カップ原紙、コートボール紙、チップボール紙などが使用できる。また、晒しクラフト紙、上質紙などを積層して用いても良い。紙の坪量を２００〜７００ｇ／ｍ２のものが、好ましく使用できる。
【００２７】
図１は、本発明の吊下げ用紙箱の一例の展開図、図２は、本発明の吊下げ用紙箱の一例の斜視図、図３は、本発明の吊下げ用紙箱の一例の正面図、図４は、本発明の吊下げ用紙箱の一例の背面図である。
【００２８】
本例の吊下げ用紙箱１００は、図１の展開図のように、正面板１と、正面板１の上端に接続する上面板２と、上面板２の先端に接続する差込片３と、正面板１の左右に設けられた左側面板４と右側面板５と、左側面板４の左側に設けられ、組み立てたとき、正面板１
に対向する背面板６と、背面板６の下端に接続した床板７と、正面板１の下端に接続した底板８を有する。
【００２９】
また、背面板６の上部には吊下げ孔９が設けられ、その上下方向の位置は、組み立てて差込片３を背面板６に沿って差込み、上面板２により吊下げ用紙箱１００を閉じたときに、吊下げ孔９が、差込片３の上端の位置の上方から下方の間になるように、本例の図１の展開図では、上面板２の下端部に、吊下げ孔９が位置するように設けられている。
【００３０】
そして、背面板６の上端から補強板１０が上方に延設されている。また、背面板６の左端から貼着板１１が延設されている。
【００３１】
左側面板４の上方には、左上折込片１２が、また、左側面板４の下方には、左下折込片１３が、設けられている。同様に、右側面板５の上方には、右上折込片１４が、また、右側面板５の下方には、右下折込片１５が、設けられている。
【００３２】
差込片３には、上面板２側から始まり、前記上面板２側へ戻る、線状の切れ目の切れ目線１６が設けられ、切れ目線１６で囲まれた切れ目片１７が形成されている。そして、上面板２に切れ目線１６の両端部から、正面板１へ向かって、変形ミシン目による上面切断可能線１８ａ、１８ｂが、互いの距離を広げながら設けられ、さらに、正面板１に、上面切断可能線１８ａ、１８ｂの先端から下方へ向かう、変形ミシン目による正面切断可能線１９ａ、１９ｂを設けられている。
【００３３】
正面切断可能線１９ａ、１９ｂの下端部は、互いの方向に曲がって、さらに上に向かい、終端となっている。これによって、正面切断可能線１９ａ、１９ｂを切断するときに、誤って、正面切断可能線１９ａ、１９ｂの下方まで切断してしまわず、終端で切断が止まるようにしている。
【００３４】
さらに、正面切断可能線１９ａ、１９ｂの終端どうしを結ぶ正面板折罫ａが、設けられていて、正面切断可能線１９ａ、１９ｂを切断して、正面板１を開くとき、この正面板折罫ａで折り曲げられるので、抵抗が少なく、また、正面板折罫ａにより真直ぐ折ることができ、大きく開封できる。
【００３５】
尚、変形ミシン目は、断続した切れ目が線状に並んでいて、切れ目間の切断で、切断が次の切れ目から外れないように、切れ目の切断方向の上流側の先端から、斜め上流方向に第２の切れ目を設けた形状のミシン目である。
【００３６】
これを組み立てるには、貼着板１１、背面板６、左側面板４、正面板１、右側面板５をそれぞれの間の折罫で折って、筒状とし、貼着板１１を右側面板５の内側に接着剤で、貼って断面が方形の筒状とする。
【００３７】
補強板１０と背面板６の間の罫線を折って、補強板１０の表面を背面板６の表面に重ね合わせ、接着剤を介して接着する。補強板１０には、吊下げ孔９を塞がないように、吊下げ孔９の上部と同形の切り欠き２０が設けられている。これによって、吊下げ孔９の周囲が補強され、吊下げ用紙箱１００に重いものを収納して吊り下げても、吊下げ孔９から破れることが無くなる。
【００３８】
次に、左上折込片１２と右上折込片１４をそれぞれ、内方に折って、差込片３を背面板６に沿って差込み、上面板２により上部を封止する。このとき、差込片３の切れ目片１７以外の部分に、接着剤を付けて、背面板６に接着させる。
【００３９】
筒状とした吊下げ用紙箱１００の下端の開口部より、収納物を入れて、床板７を内方に折り、次いで、底板８を内方に折り、床板７の外面と底板８の内面とを接着剤で接着する。これによって、図２の斜視図の吊下げ用紙箱１００の包装体が出来上がる。
【００４０】
吊下げ用紙箱１００を正面から見ると、図３のように、吊下げ孔９が見えており、吊下げ可能となっている。また、吊下げ用紙箱１００を背面から見ると、図４のように、吊下げ孔９が見えていて、吊下げ孔９の下側に、吊下げ孔９を通して、差込片３に設けられた切れ目片１７が見えている。
【００４１】
吊下げ用紙箱１００を開封するときには、背面側より切れ目片１７を押すと、切れ目線１６が切れているので、簡単に押されて、上面切断可能線１８ａ、１８ｂが切断される。さらに、切れ目片１７や上面切断可能線１８ａ、１８ｂで挟まれた部分を手前に引っ張って、正面切断可能線１９ａ、１９ｂを切断して、正面板折罫ａで折って、手前に倒すことによって、正面板１の上部を大きく開口することができ、開封され、収納物を容易に取り出すことができる。
【００４２】
開封した吊下げ用紙箱１００を再封するには、切れ目片１７を背面板６に沿って、差し込めば再封され、吊下げ孔９によって、また、吊下げることができ、吊下げて保存することができる。
【００４３】
切れ目片１７を背面板６に沿って、差し込むとき、図１のように、切れ目片１７の横幅を、吊下げ孔９の横幅より、広くしておけば、切れ目片１７が吊下げ孔９に入ってしまうことがなく、さらに、吊下げ孔９をガイドとして、切れ目片１７を背面板６に沿って、差し込むことができ、簡単に再封できる。
【００４４】
背面から見て、吊下げ孔９を通して見える切れ目片１７には、開封を開始するところであることを表示することが好ましい。例えば、「押す」「開封」「開ける」「ＯＰＥＮ」などの動作を表す表示をする、あるいは、「開け口」「開封口」などの開封開始位置を示す表示をすると良い。また、吊下げ孔９を通して見える切れ目片１７とその周辺に位置する背面板６の地色を互いに補色にする、あるいは、互いの色の濃度を変えたりして、目で見てその違いが明確に異なるようにすることが好ましい。これによって、開封開始位置や、開け方が分かりやすくなる。
【００４５】
本例では、正面切断可能線１９ａ、１９ｂが正面板１の中寄りに設けられているが、正面切断可能線１９ａを正面板１と左側面板４との境目部に、正面切断可能線１９ｂを正面板１と右側面板５との境目部に設けても良い。そのとき、上面板２の上面切断可能線１８ａ、１８ｂは、切れ目線１６の両端部から、互いの距離を広げながら正面板１方向へ向かい、上面板２の左右両端に到るように設ける。
【００４６】
この場合は、正面板１の左右全幅の開口部を設けることができ、収納物が幅広であっても取り出しが容易となる。
【００４７】
図５は、本発明の吊下げ用紙箱の他の例の展開図、図６は、本発明の吊下げ用紙箱の他の例の斜視図、図７は、本発明の吊下げ用紙箱の他の例の正面図、図８は、本発明の吊下げ用紙箱の他の例の背面図である。
【００４８】
本例の吊下げ用紙箱２００は、図５の展開図のように、正面板１と、正面板１の上端に接続する上面板２と、上面板２の先端に接続する差込片３と、正面板１の左右に設けられた左側面板４と右側面板５と、左側面板４の左側に設けられ、組み立てたとき、正面板１に対向する背面板６と、正面板１の下端に接続した底面板２１と、底面板２１の下端に延
設された下部差込片２２を有する。
【００４９】
また、背面板６の上部には吊下げ孔９が設けられ、この吊下げ孔９の上部は孔が開いた開孔部２３となっていて、吊下げ孔９の下部には、ミシン目状の切れ目からなる切取線２４によって切取可能な切取片２５が設けられていて、切取片２５を切り取ると開孔部２３と一体となって吊下げ孔９となる。
【００５０】
吊下げ孔９の上下方向の位置は、組み立てて差込片３を背面板６に沿って差込み、上面板２により吊下げ用紙箱２００を閉じたときに、吊下げ孔９が、差込片３の上端の位置の上方から下方の間になるように、本例の図５の展開図では、上面板２の下端部に、吊下げ孔９が位置するように設けられている。
【００５１】
そして、背面板６の上端から補強板１０が上方に延設されている。そして、補強板１０には、吊下げ孔９を塞がないように、吊下げ孔９の上部と同形の切り欠き２０が設けられている。また、背面板６の左端から貼着板１１が延設されている。
【００５２】
左側面板４の上方には、左上折込片１２が、また、左側面板４の下方には、左下折込片１３が、設けられている。同様に、右側面板５の上方には、右上折込片１４が、また、右側面板５の下方には、右下折込片１５が、設けられている。
【００５３】
差込片３には、上面板２側から始まり、前記上面板２側へ戻る、線状の切れ目の切れ目線１６が設けられ、切れ目線１６で囲まれた切れ目片１７が形成されている。そして、上面板２に、切れ目線１６の両端部から正面板１へ向かう、変形ミシン目による上面切断可能線１８ａ、１８ｂが設けられ、さらに、正面板１に、上面切断可能線１８ａ、１８ｂの先端から下方へ向かう、変形ミシン目による正面切断可能線１９ａ、１９ｂが屈曲して設けられている。
【００５４】
正面切断可能線１９ａ、１９ｂの下端部は、互いの方向に曲がって、さらに上に向かい、終端となっている。これによって、正面切断可能線１９ａ、１９ｂを切断するときに、誤って、正面切断可能線１９ａ、１９ｂの下方まで切断してしまわず、終端で切断が止まるようにしている。
【００５５】
さらに、正面切断可能線１９ａ、１９ｂの終端どうしを結ぶ正面板折罫ａが、設けられていて、正面切断可能線１９ａ、１９ｂを切断して、正面板１を開くとき、この正面板折罫ａで折り曲げられるので、抵抗が少なく、また、正面板折罫ａにより真直ぐ折ることができ、大きく開封できる。
【００５６】
尚、変形ミシン目は、断続した切れ目が線状に並んでいて、切れ目間の切断で、切断が次の切れ目から外れないように、切れ目の切断方向の上流側の先端から、斜め上流方向に第２の切れ目を、設けた形状のミシン目である。
【００５７】
これを組み立てるには、貼着板１１、背面板６、左側面板４、正面板１、右側面板５をそれぞれの間の折罫で折って、筒状とし、貼着板１１の表面を右側面板５の裏面に接着剤で貼って、断面が方形の筒状とする。
【００５８】
補強板１０と背面板６の間の罫線を折って、補強板１０の表面を背面板６の表面に重ね合わせ、接着剤を介して接着する。補強板１０には、吊下げ孔９を塞がないように、吊下げ孔９の上部と同形の切り欠き２０が設けられている。これによって、吊下げ孔９の周囲が補強され、吊下げ用紙箱１００に重いものを収納して吊り下げても、吊下げ孔９から破れることが無くなる。
【００５９】
次に、左上折込片１２と右上折込片１４をそれぞれ、内方に折って、差込片３を背面板６に沿って差込み、上面板２により上部を封止する。このとき、差込片３の切れ目片１７以外の部分に、接着剤を付けて、背面板６に接着させる。また、切れ目片１７を切取片２５に接着させる。切れ目片１７を切取片２５に接着させることによって、開けるときに切取片２５を押すと、切れ目片１７が一体になっていて、上面切断可能線１８ａ、１８ｂを切断しやすい。
【００６０】
筒状とした吊下げ用紙箱２００の下端の開口部より、収納物を入れて、底面板２１と
下部差込片２２をそれぞれ、内方に折り、下部差込片２２を背面板６に沿って内方に差込む。これによって、図６の斜視図の吊下げ用紙箱２００の包装体が出来上がる。
【００６１】
吊下げ用紙箱２００を正面から見ると、図７のように、吊下げ孔９が見えており、吊下げ可能となっている。また、吊下げ孔９の切取片２５の上端部分が、正面板１あるいは上面板２の上方に見えている。また、吊下げ用紙箱１００を背面から見ると、図８のように、背面板６に吊下げ孔９が見えていて、吊下げ孔９の下部の切取可能な切取片２５が見えている。
【００６２】
吊下げ用紙箱２００を開封するときには、背面より切取片２５を押すと、切取線２４が切断され、切取片２５に接着している切れ目片１７が、切れ目線１６が切れているので、簡単に押されて、上面切断可能線１８ａ、１８ｂが切断される。
【００６３】
さらに、切れ目片１７や上面切断可能線１８ａ、１８ｂで挟まれた部分を手前に引っ張って、正面切断可能線１９ａ、１９ｂを切断して、正面板折罫ａで折って、手前に倒すことによって、正面板１の上部を大きく開口することができ、開封され、収納物を容易に取り出すことができる。
【００６４】
開封した吊下げ用紙箱２００を再封するには、切取片２５とこれに接続する切れ目片１７を背面板６に沿って、差し込めば再封され、吊下げ孔９によって、また、吊下げることができ、吊下げて保存することができる。
【００６５】
切取片２５には、開封を開始するところであることを表示することが好ましい。例えば、「押す」「開封」「開ける」「ＯＰＥＮ」などの動作を表す表示をする、あるいは、「開け口」「開封口」などの開封開始位置を示す表示をすると良い。また、切取片２５とその周辺の背面板６の地色を互いに補色にする、あるいは、互いの色の濃度を変えたりして、目で見てその違いが明確に異なるようにすることが好ましい。これによって、開封開始位置や、開け方が分かりやすくなる。
【００６６】
図９は、本発明の吊下げ用紙箱のさらに他の例の展開図、図１０は、本発明の吊下げ用紙箱のさらに他の例の斜視図、図１１は、本発明の吊下げ用紙箱のさらに他の例の正面図、図１２は、本発明の吊下げ用紙箱のさらに他の例の背面図である。
【００６７】
本例の吊下げ用紙箱３００は、図９の展開図のように、正面板１と、正面板１の上端に接続する上面板２と、上面板２の先端に接続する差込片３が設けられ、正面板１の左端には貼着板１１が接続して設けられている。また、正面板１の右側には、右側面板５と、組み立てたとき正面板１に対向する背面板６と、左側面板４とが順次設けられている。
【００６８】
そして、背面板６の上部には吊下げ孔９が設けられ、この吊下げ孔９の上部は開孔した開孔部２３となっていて、吊下げ孔９の下部には、ミシン目状の切れ目からなる切取線２４によって切取可能な切取片２５が設けられていて、切取片２５を切り取ると開孔部２３と一体となって吊下げ孔９を形成している。
【００６９】
吊下げ孔９の上下方向の位置は、組み立てて差込片３を背面板６に沿って差込み、上面板２により吊下げ用紙箱３００を閉じたときに、吊下げ孔９が、差込片３の上端の位置の上方から下方の間になるように、本例の図９の展開図では、上面板２の下端部に、吊下げ孔９が位置するように設けられている。また、背面板６の下端には、底面板２１と、底面板２１の下端に延設された下部差込片２２が連設されている。
【００７０】
左側面板４の上方には、左上折込片１２が、また、左側面板４の下方には、左下折込片１３が、設けられている。同様に、右側面板５の上方には、右上折込片１４が、また、右側面板５の下方には、右下折込片１５が、設けられている。尚、左側面板４と左上折込片１２の間、および、右側面板５と右上折込片１４の間には、押罫や破線状の切れ目線の折罫でなく、変形ミシン目が設けられている。
【００７１】
正面板１の図９では左側の貼着板１１との境目部には、変形ミシン目による正面切断可能線１９ａが、上面板２と正面板１と貼着板１１との接点から下方に向け設けられていて、正面板１の図９では右側の右側面板５との境目部には、変形ミシン目による正面切断可能線１９ｂが、上面板２と正面板１と右側面板５との接点から下方に向け設けられている。
【００７２】
正面切断可能線１９ａ、１９ｂの下端部は、互いの方向に曲がって、さらに上に向かい、終端となっている。これによって、正面切断可能線１９ａ、１９ｂを切断するときに、誤って、正面切断可能線１９ａ、１９ｂの下方まで切断してしまわず、終端で切断が止まるようにしている。
【００７３】
さらに、正面切断可能線１９ａ、１９ｂの終端には、終端どうしを結ぶ正面板折罫ａが、設けられている。これによって、正面切断可能線１９ａ、１９ｂを切断して、正面板１を開くとき、この正面板折罫ａで折り曲げられるので、抵抗が少なく、また、正面板折罫ａにより真直ぐ折ることができ、大きく開封できる。
【００７４】
尚、変形ミシン目は、断続した切れ目が線状に並んでいて、切れ目間の切断で、切断が次の切れ目から外れないように、切れ目の切断方向の上流側の先端から、斜め上流方向に第２の切れ目を、設けた形状のミシン目である。
【００７５】
これを組み立てるには、貼着板１１、正面板１、右側面板５、背面板６、左側面板４のそれぞれの間の折罫で折って、筒状とし、貼着板１１の表面を左側面板４の裏面に接着剤で貼って、断面が方形の筒状とする。
【００７６】
次に、左上折込片１２と右上折込片１４をそれぞれ、内方に折って、差込片３を背面板６に沿って差込み、上面板２により上部を封止する。このとき、切取片２５を差込片３に接着剤を付けて接着させる。切取片２５を差込片３に接着させることにより、差込片３は背面板６に固定される。また、切取線２４を切断せずに差込片３を抜くことができなくなり、いたずらされて開封されたときにわかる。
【００７７】
またこのとき、左上折込片１２と右上折込片１４をそれぞれ上面板２に接着しておいても良い。これによって、上面板２を開けるときに、左側面板４と左上折込片１２の間の変形ミシン目および右側面板５と右上折込片１４の間の変形ミシン目が切断され、開口部を広く取ることができる。
【００７８】
次に、筒状とした吊下げ用紙箱３００の下端の開口部より、収納物を入れて、底面板２
１と下部差込片２２をそれぞれ、内方に折り、下部差込片２２を背面板６に沿って内方に差込む。これによって、図１０の斜視図の吊下げ用紙箱３００の包装体が出来上がる。
【００７９】
図１０の斜視図のように、正面切断可能線１９ａは、上面板２と正面板１と左側面板４との接点から下方に向け設けられている。また、正面切断可能線１９ｂは、上面板２と正面板１と図では陰になって見えない右側面板５との接点から下方に向け設けられている。
【００８０】
吊下げ用紙箱３００を正面から見ると、図１１のように、吊下げ孔９が見えており、吊下げ可能となっている。また、吊下げ孔９の切取片２５の上端部分が、正面板１あるいは上面板２の上方に見えている。そして、正面板１には、上面板２側より、左側面板４との境目部に正面切断可能線１９ａが見えていて、右側面板５との境目部に正面切断可能線１９ｂが見えている。
【００８１】
また、吊下げ用紙箱３００を背面から見ると、図１２のように、背面板６の上部に吊下げ孔９が見えていて、吊下げ孔９には、上部の開孔部２３と、開孔部２３と切取線２４に囲まれた切取可能な切取片２５が見えている。
【００８２】
吊下げ用紙箱３００を開封するときには、背面より切取片２５を押すと、切取線２４が切断され、背面板６より切取片２５が離れ、切取片２５に接着している差込片３が押されて、上面板２が浮き上がり、上面板２を開けることができる。このとき、左上折込片１２と右上折込片１４が上面板２に接着してされていれば、上面板２を開けるときに、左側面板４と左上折込片１２の間の変形ミシン目および右側面板５と右上折込片１４の間の変形ミシン目が切断される。
【００８３】
つぎに、差込片３や上面板２を手前に引っ張って、正面切断可能線１９ａ、１９ｂを切断して、正面板折罫ａで折って、手前に倒すことによって、正面板１の上部を大きく開口することができ、開封され、収納物を容易に取り出すことができる。
【００８４】
開封した吊下げ用紙箱３００を再封するには、切取片２５、および、切取片２５に接着している差込片３を背面板６に沿って、差し込めば再封され、吊下げ孔９によって、また、吊下げることができ、吊下げて保存することができる。
【００８５】
切取片２５には、開封を開始するところであることを表示することが好ましい。例えば、「押す」「開封」「開ける」「ＯＰＥＮ」などの動作を表す表示をする、あるいは、「開け口」「開封口」などの開封開始位置を示す表示をすると良い。また、切取片２５とその周辺の背面板６の地色を互いに補色にする、あるいは、互いの色の濃度を変えたりして、目で見てその違いが明確に異なるようにすることが好ましい。これによって、開封開始位置や、開け方が分かりやすくなる。
【符号の説明】
【００８６】
１００、２００、３００、４００・・・吊下げ用紙箱
１・・・正面板
２・・・上面板
３・・・差込片
４・・・左側面板
５・・・右側面板
６・・・背面板
７・・・床板
８・・・底板
９・・・吊下げ孔
１０・・・補強板
１１・・・貼着板
１２・・・左上折込片
１３・・・左下折込片
１４・・・右上折込片
１５・・・右下折込片
１６・・・切れ目線
１７・・・切れ目片
１８ａ、１８ｂ・・・上面切断可能線
１９ａ、１９ｂ・・・正面切断可能線
２０・・・切り欠き
２１・・・底面板
２２・・・下部差込片
２３・・・開孔部
２４・・・切取線
２５・・・切取片
２６・・・上面連接板
２７・・・吊下げ板
ａ・・・正面板折罫
【図１】
2012020741.tif 000003
【図２】
2012020741.tif 000004
【図３】
2012020741.tif 000005
【図４】
2012020741.tif 000006
【図５】
2012020741.tif 000007
【図６】
2012020741.tif 000008
【図７】
2012020741.tif 000009
【図８】
2012020741.tif 000010
【図９】
2012020741.tif 000011
【図１０】
2012020741.tif 000012
【図１１】
2012020741.tif 000013
【図１２】
2012020741.tif 000014
【図１３】
2012020741.tif 000015